(57)【要約】【課題】安全で、かつ管理が容易な引き出し開閉管理システムを提供する。【解決手段】引き出し１００の施錠・開錠を行う電子錠制御装置２００は、ネットワーク３０を介して管理機２０と接続している端末装置１０と接続している。管理機２０はユーザが端末装置１０に入力したユーザＩＤ等に基づき認証を実行し、そのユーザに引き出し１００の開閉権限が有る場合には、端末装置１０は電子錠制御装置２００へ開錠信号を送信する。また、電子錠制御装置２００は引き出し１００の開閉状態を読み取り、引き出し１００が閉じた状態の場合に、端末装置１０は電子錠制御装置２００に施錠信号を送信する。また、管理機２０は引き出し１００の施錠、開錠、及び開閉の履歴を記録する。【選択図】図１
2010174516.tif 000002
【特許請求の範囲】
【請求項１】
端末装置と、該端末装置に接続され、引き出しを施錠又は開錠するための電子錠を備える電子錠制御装置と、前記端末装置にネットワークを介して接続される管理装置と、から構成される引き出し開閉管理システムであって、
前記管理装置は、
ユーザを識別するための識別情報と、当該ユーザの前記引き出しの所定の権限を示す権限情報とを対応付けて予め記憶する対応付記憶手段と、
識別情報を、ネットワークを介して前記端末装置から受信する識別情報受信手段と、
前記識別情報受信手段により受信された識別情報が、前記対応付記憶手段に記憶されている識別情報に実質的に一致するか否かを判別する識別情報判別手段と、
前記識別情報判別手段により実質的に一致すると判別された場合、実質的に一致すると判別された識別情報に対応する権限情報に基づいて、実質的に一致すると判別された識別情報により識別されるユーザが前記引き出しの開閉権限を有するか否かを判別する開閉権限判別手段と、
前記開閉権限判別手段により開閉権限を有すると判別された場合、前記電子錠制御装置が前記電子錠を施錠状態または開錠状態となるように制御するための開閉制御信号を送信させる開閉制御要求を、ネットワークを介して前記端末装置へ送信する開閉制御要求送信手段と、
を備え、
前記端末装置は、
ユーザが識別情報を入力する識別情報入力手段と、
ユーザにより前記識別情報入力手段に入力された識別情報を、ネットワークを介して前記管理装置に送信する識別情報送信手段と、
前記開閉制御要求をネットワークを介して前記管理装置から受信する開閉制御要求受信手段と、
前記開閉制御要求受信手段により前記開閉制御要求を受信したことに応答して、前記電子錠制御装置に前記開閉制御信号を送信する開閉制御信号送信手段と、
を備え、
前記電子錠制御装置は、
前記端末装置から前記開閉制御信号を受信する開閉制御信号受信手段と、
前記開閉制御信号受信手段により受信された前記開閉制御信号に基づいて、前記電子錠を制御する電子錠制御手段と、
を備えることを特徴とする引き出し開閉管理システム。
【請求項２】
前記開閉制御要求送信手段は、前記開閉権限判別手段により開閉権限を有すると判別された場合、前記端末装置に前記電子錠制御装置へ開錠信号を送信させる開錠要求を、ネットワークを介して前記端末装置へ送信し、
前記開閉制御要求受信手段は、前記開錠要求をネットワークを介して前記管理装置から受信し、
前記開閉制御信号送信手段は、前記開閉制御要求受信手段により前記開錠要求を受信したことに応答して、前記電子錠制御装置に開錠信号を送信し、
前記電子錠制御手段は、前記開閉制御信号受信手段により前記開錠信号を受信したことに応答して、前記電子錠が開錠状態となるように制御する、
ことを特徴とする請求項１に記載の引き出し開閉管理システム。
【請求項３】
前記端末装置は、
所定の操作がされた場合に前記電子錠制御装置に開閉状態要求を送信する開閉状態要求送信手段と、
前記電子錠制御装置から送信された開閉状態情報を受信する開閉状態情報受信手段と、
前記開閉状態情報受信手段により受信された前記開閉状態情報が示す前記引き出しの開閉状態が、閉じた状態であるか否かを判別する開閉状態判別手段と、
をさらに備え、
前記電子錠制御装置は、
前記端末装置から送信された前記開閉状態要求を受信する開閉状態要求受信手段と、
前記開閉状態要求を前記開閉状態要求受信手段が受信したことに応答して、前記引き出しの開閉状態を検知する検知手段と、
前記検知手段により検知された開閉状態を示す開閉状態情報を前記端末装置に送信する開閉状態情報送信手段と、
をさらに備え、
前記開閉制御信号送信手段は、前記開閉状態判別手段により前記引き出しが閉じた状態であると判別された場合、前記電子錠制御装置に施錠信号を送信し、
前記電子錠制御手段は、前記開閉制御信号受信手段により前記施錠信号を受信したことに応答して、前記電子錠が施錠状態となるように制御する、
ことを特徴とする請求項１または２に記載の引き出し開閉管理システム。
【請求項４】
前記端末装置は、前記開閉状態判別手段により前記引き出しが開いた状態であると判別された場合、前記引き出しが開いた状態であることを示すメッセージを出力する出力手段をさらに備える、
ことを特徴とする請求項３に記載の引き出し開閉管理システム。
【請求項５】
前記管理装置は、
前記開閉制御要求送信手段により前記開閉制御要求を送信したことに応答して、前記引き出しの利用履歴を更新する利用履歴更新手段をさらに備える、
ことを特徴とする請求項１乃至４のいずれか１項に記載の引き出し開閉管理システム。
【請求項６】
前記利用履歴更新手段は、前記開閉制御要求送信手段により前記開錠要求を送信したことに応答して、前記引き出しの利用履歴を更新する、
ことを特徴とする請求項５に記載の引き出し開閉管理システム。
【請求項７】
前記端末装置は、
前記開閉制御信号送信手段により前記電子錠制御装置に前記施錠信号が送信されたことに応答して、前記管理装置に前記引き出しの利用履歴更新要求を送信する利用履歴更新要求送信手段をさらに備え、
前記管理装置は、
前記端末装置から前記利用履歴更新要求を受信する利用履歴更新要求受信手段をさらに備え、
前記利用履歴更新手段は、
前記利用履歴更新要求受信手段により前記利用履歴更新要求を受信したことに応答して、前記引き出しの利用履歴を更新する、
ことを特徴とする請求項５または６に記載の引き出し開閉管理システム。
【請求項８】
前記電子錠制御装置は、
前記検知手段により検知された開閉状態の変化に応答して、前記引き出しの利用履歴更新要求を送信させる更新要求を送信する更新要求送信手段をさらに備え、
前記端末装置は、
前記電子錠制御装置から前記更新要求を受信する更新要求受信手段をさらに備え、
前記利用履歴更新要求送信手段は、前記更新要求受信手段により前記更新要求を受信したことに応答して、前記管理装置に前記利用履歴更新要求を送信する、
ことを特徴とする請求項７に記載の引き出し開閉管理システム。
【請求項９】
端末装置と、引き出しを施錠又は開錠するための電子錠を備える電子錠制御装置と、管理装置とが、ネットワークを介して接続される引き出し開閉管理システムであって、
前記管理装置は、
ユーザを識別するための識別情報と、当該ユーザの前記引き出しの所定の権限を示す権限情報とを対応付けて予め記憶する対応付記憶手段と、
識別情報を、前記端末装置から受信する識別情報受信手段と、
前記識別情報受信手段により受信された識別情報が、前記対応付記憶手段に記憶されている識別情報に実質的に一致するか否かを判別する識別情報判別手段と、
前記識別情報判別手段により実質的に一致すると判別された場合、実質的に一致すると判別された識別情報に対応する権限情報に基づいて、実質的に一致すると判別された識別情報により識別されるユーザが前記引き出しの開閉権限を有するか否かを判別する開閉権限判別手段と、
前記開閉権限判別手段により開閉権限を有すると判別された場合、前記電子錠制御装置が前記電子錠を施錠状態または開錠状態となるように制御するための開閉制御信号を、ネットワークを介して送信する開閉制御信号送信手段と、
を備え、
前記端末装置は、
ユーザが識別情報を入力する識別情報入力手段と、
ユーザにより前記識別情報入力手段に入力された識別情報を、ネットワークを介して前記管理装置に送信する識別情報送信手段と、
を備え、
前記電子錠制御装置は、
前記管理装置から前記開閉制御信号を受信する開閉制御信号受信手段と、
前記開閉制御信号受信手段により受信された前記開閉制御信号に基づいて、前記電子錠を制御する電子錠制御手段と、
を備えることを特徴とする引き出し開閉管理システム。
【請求項１０】
前記開閉制御信号送信手段は、前記開閉権限判別手段により開閉権限を有すると判別された場合、開錠信号をネットワークを介して前記電子錠制御装置に送信し、
前記電子錠制御手段は、前記開閉制御信号受信手段により前記開錠信号を受信したことに応答して、前記電子錠が開錠状態となるように制御する、
ことを特徴とする請求項９に記載の引き出し開閉管理システム。
【請求項１１】
前記端末装置は、
所定の操作がされた場合に前記電子錠制御装置に開閉状態要求を送信する開閉状態要求送信手段と、
前記電子錠制御装置から送信された前記開閉状態情報を受信する開閉状態情報受信手段と、
前記開閉状態情報受信手段により受信された前記開閉状態情報が示す前記引き出しの開閉状態が、閉じた状態であるか否かを判別する開閉状態判別手段と、
前記開閉状態判別手段により前記引き出しが閉じた状態であると判別された場合、前記電子錠制御装置に施錠信号を送信する施錠信号送信手段と、
をさらに備え、
前記電子錠制御装置は、
前記端末装置から送信された開閉状態要求を受信する開閉状態要求受信手段と、
前記開閉状態要求を前記開閉状態要求受信手段が受信したことに応答して、前記引き出しの開閉状態を検知する検知手段と、
前記検知手段により検知された開閉状態を示す開閉状態情報を前記端末装置に送信する開閉状態情報送信手段と、
をさらに備え、
前記電子錠制御手段は、前記開閉制御信号受信手段により前記施錠信号を受信したことに応答して、前記電子錠が施錠状態となるように制御する、
ことを特徴とする請求項９または１０に記載の引き出し開閉管理システム。
【請求項１２】
前記端末装置は、前記開閉状態判別手段により前記引き出しが開いた状態であると判別された場合、前記引き出しが開いた状態であることを示すメッセージを出力する出力手段をさらに備える、
ことを特徴とする請求項１１に記載の引き出し開閉管理システム。
【請求項１３】
前記管理装置は、
前記開閉制御信号送信手段により前記開閉制御信号を送信したことに応答して、前記引き出しの利用履歴を更新する利用履歴更新手段をさらに備える、
ことを特徴とする請求項９乃至１２のいずれか１項に記載の引き出し開閉管理システム。
【請求項１４】
前記利用履歴更新手段は、前記開閉制御信号送信手段により前記開錠信号を送信したことに応答して、前記引き出しの利用履歴を更新する、
ことを特徴とする請求項１３に記載の引き出し開閉管理システム。
【請求項１５】
前記端末装置は、
前記施錠信号送信手段により前記電子錠制御装置に前記施錠信号が送信されたことに応答して、前記管理装置に前記引き出しの利用履歴更新要求を送信する利用履歴更新要求送信手段をさらに備え、
前記管理装置は、
利用履歴更新要求を受信する利用履歴更新要求受信手段をさらに備え、
前記利用履歴更新手段は、
前記利用履歴更新要求受信手段により前記端末装置から利用履歴更新要求を受信したことに応答して、前記引き出しの利用履歴を更新する、
ことを特徴とする請求項１３または１４に記載の引き出し開閉管理システム。
【請求項１６】
前記電子錠制御装置は、
前記検知手段により検知された開閉状態の変化に応答して、前記引き出しの利用履歴更新要求を前記管理装置に送信する開閉履歴更新要求送信手段をさらに備え、
前記利用履歴更新手段は、前記利用履歴更新要求受信手段により前記電子錠制御装置から前記利用履歴更新要求を受信したことに応答して、前記引き出しの利用履歴を更新する、
ことを特徴とする請求項１５に記載の引き出し開閉管理システム。
【請求項１７】
引き出しを施錠又は開錠するための電子錠を備えた電子錠制御装置に接続された端末装置とネットワークを介して接続される管理装置であって、
ユーザを識別するための識別情報と、当該ユーザの前記引き出しの所定の権限を示す権限情報とを対応付けて予め記憶する対応付記憶手段と、
ユーザにより前記端末装置に入力された識別情報を、ネットワークを介して前記端末装置から受信する識別情報受信手段と、
前記識別情報受信手段により受信された識別情報に実質的に一致する前記対応付記憶手段に記憶された識別情報に対応する権限情報に基づいて、実質的に一致する識別情報により識別されるユーザが前記引き出しの開閉権限を有するか否かを判別する開閉権限判別手段と、
前記開閉権限判別手段により開閉権限を有すると判別された場合、前記電子錠制御装置が前記電子錠を施錠状態または開錠状態となるように制御するための開閉制御信号を送信させる開閉制御要求を、ネットワークを介して前記端末装置へ送信する開閉制御要求送信手段と、
を備えることを特徴とする管理装置。
【請求項１８】
引き出しを施錠又は開錠するための電子錠を備える電子錠制御装置に接続され、ユーザを識別するための識別情報と当該ユーザの前記引き出しの所定の権限を示す権限情報とを対応付けて予め記憶する管理装置にネットワークを介して接続される端末装置であって、
ユーザが識別情報を入力する識別情報入力手段と、
ユーザにより前記識別情報入力手段に入力された識別情報を、ネットワークを介して前記管理装置に送信する識別情報送信手段と、
ユーザにより入力された識別情報と実質的に一致する前記管理装置に記憶された識別情報に対応する権限情報が前記引き出しの開閉権限を有することを示す場合、前記電子錠制御装置が前記電子錠を施錠状態または開錠状態となるように制御するための開閉制御信号を送信させる開閉制御要求を、ネットワークを介して前記管理装置から受信する開閉制御要求受信手段と、
前記開閉制御要求受信手段により前記開閉制御要求を受信したことに応答して、前記電子錠制御装置に前記開閉制御信号を送信する制御信号送信手段と、
を備えることを特徴とする端末装置。
【請求項１９】
引き出しを施錠又は開錠するための電子錠を備えた電子錠制御装置と、端末装置とに、ネットワークを介して接続される管理装置であって、
ユーザを識別するための識別情報と、当該ユーザの前記引き出しの所定の権限を示す権限情報とを対応付けて予め記憶する対応付記憶手段と、
ユーザにより前記端末装置に入力された識別情報を、ネットワークを介して前記端末装置から受信する識別情報受信手段と、
前記識別情報受信手段により受信された識別情報に実質的に一致する前記対応付記憶手段に記憶された識別情報に対応する権限情報に基づいて、実質的に一致する識別情報により識別されるユーザが前記引き出しの開閉権限を有するか否かを判別する開閉権限判別手段と、
前記開閉権限判別手段により開閉権限を有すると判別された場合、前記電子錠制御装置が前記電子錠を施錠状態または開錠状態となるように制御するための開閉制御信号を、ネットワークを介して前記電子錠制御装置へ送信する開閉制御信号送信手段と、
を備えることを特徴とする管理装置。
【請求項２０】
引き出しを施錠又は開錠するための電子錠を備えた電子錠制御装置に接続された端末装置とネットワークを介して接続されるコンピュータを、
ユーザを識別するための識別情報と、当該ユーザの前記引き出しの所定の権限を示す権限情報とを対応付けて予め記憶する対応付記憶手段と、
ユーザにより前記端末装置に入力された識別情報を、ネットワークを介して前記端末装置から受信する識別情報受信手段と、
前記識別情報受信手段により受信された識別情報に実質的に一致する前記対応付記憶手段に記憶された識別情報に対応する権限情報に基づいて、実質的に一致する識別情報により識別されるユーザが前記引き出しの開閉権限を有するか否かを判別する開閉権限判別手段と、
前記開閉権限判別手段により開閉権限を有すると判別された場合、前記電子錠制御装置が前記電子錠を施錠状態または開錠状態となるように制御するための開閉制御信号を送信させる開閉制御要求を、ネットワークを介して前記端末装置へ送信する送信要求送信手段と、
として機能させることを特徴とする引き出し開閉管理プログラム。
【請求項２１】
引き出しを施錠又は開錠するための電子錠を備える電子錠制御装置に接続され、ユーザを識別するための識別情報と当該ユーザの前記引き出しの所定の権限を示す権限情報とを対応付けて予め記憶する管理装置にネットワークを介して接続されるコンピュータを、
ユーザが識別情報を入力する識別情報入力手段と、
ユーザにより前記識別情報入力手段に入力された識別情報を、ネットワークを介して前記管理装置に送信する識別情報送信手段と、
ユーザにより入力された識別情報と実質的に一致する前記管理装置に記憶された識別情報に対応する権限情報が前記引き出しの開閉権限を有することを示す場合、前記電子錠制御装置が前記電子錠を施錠状態または開錠状態となるように制御するための開閉制御信号を送信させる開閉制御要求を、ネットワークを介して前記管理装置から受信する開閉制御要求受信手段と、
前記開閉制御要求受信手段により前記開閉制御要求を受信したことに応答して、前記電子錠制御装置に前記開閉制御信号を送信する制御信号送信手段と、
として機能させることを特徴とする引き出し開閉管理プログラム。
【請求項２２】
引き出しを施錠又は開錠するための電子錠を備えた電子錠制御装置と、端末装置とに、ネットワークを介して接続されるコンピュータを、
ユーザを識別するための識別情報と、当該ユーザの前記引き出しの所定の権限を示す権限情報とを対応付けて予め記憶する対応付記憶手段と、
ユーザにより前記端末装置に入力された識別情報を、ネットワークを介して前記端末装置から受信する識別情報受信手段と、
前記識別情報受信手段により受信された識別情報に実質的に一致する前記対応付記憶手段に記憶された識別情報に対応する権限情報に基づいて、実質的に一致する識別情報により識別されるユーザが前記引き出しの開閉権限を有するか否かを判別する開閉権限判別手段と、
前記開閉権限判別手段により開閉権限を有すると判別された場合、前記電子錠制御装置が前記電子錠を施錠状態または開錠状態となるように制御するための開閉制御信号を、ネットワークを介して前記電子錠制御装置へ送信する開閉制御信号送信手段と、
として機能させることを特徴とする引き出し開閉管理プログラム。
【請求項２３】
端末装置と、該端末装置に接続され、引き出しを施錠又は開錠するための電子錠を備える電子錠制御装置と、前記端末装置にネットワークを介して接続される管理装置とによって実行される引き出し開閉管理方法であって、
前記管理装置は、
ユーザを識別するための識別情報と、当該ユーザの前記引き出しの所定の権限を示す権限情報とを対応付けて予め所定の記憶手段に記憶する対応付記憶ステップと、
識別情報を、ネットワークを介して前記端末装置から受信する識別情報受信ステップと、
前記識別情報受信ステップにより受信された識別情報が、前記記憶手段に記憶されている識別情報に実質的に一致するか否かを判別する識別情報判別ステップと、
前記識別情報判別ステップにより実質的に一致すると判別された場合、実質的に一致すると判別された識別情報に対応する権限情報に基づいて、実質的に一致すると判別された識別情報により識別されるユーザが前記引き出しの開閉権限を有するか否かを判別する開閉権限判別ステップと、
前記開閉権限判別ステップにより開閉権限を有すると判別された場合、前記電子錠制御装置が前記電子錠を施錠状態または開錠状態となるように制御するための開閉制御信号を送信させる開閉制御要求を、ネットワークを介して前記端末装置へ送信する開閉制御要求送信ステップと、
を実行し、
前記端末装置は、
ユーザにより所定の入力手段に入力された識別情報を、ネットワークを介して前記管理装置に送信する識別情報送信ステップと、
前記開閉制御要求をネットワークを介して前記管理装置から受信する開閉制御要求受信ステップと、
前記開閉制御要求受信ステップにより前記開閉制御要求を受信したことに応答して、前記電子錠制御装置に前記開閉制御信号を送信する開閉制御信号送信ステップと、
を実行し、
前記電子錠制御装置は、
前記端末装置から前記開閉制御信号を受信する開閉制御信号受信ステップと、
前記開閉制御信号受信ステップにより受信された前記開閉制御信号に基づいて、前記電子錠を制御する電子錠制御ステップと、を実行する、
ことを特徴とする引き出し開閉管理方法。
【請求項２４】
端末装置と、引き出しを施錠又は開錠するための電子錠を備える電子錠制御装置と、管理装置とが、ネットワークを介して接続される引き出し開閉管理方法であって、
前記管理装置は、
ユーザを識別するための識別情報と、当該ユーザの前記引き出しの所定の権限を示す権限情報とを対応付けて予め所定の記憶手段に記憶する対応付記憶ステップと、
識別情報を、前記端末装置から受信する識別情報受信ステップと、
前記識別情報受信ステップにより受信された識別情報が、前記記憶手段に記憶されている識別情報に実質的に一致するか否かを判別する識別情報判別ステップと、
前記識別情報判別ステップにより実質的に一致すると判別された場合、実質的に一致すると判別された識別情報に対応する権限情報に基づいて、実質的に一致すると判別された識別情報により識別されるユーザが前記引き出しの開閉権限を有するか否かを判別する開閉権限判別ステップと、
前記開閉権限判別ステップにより開閉権限を有すると判別された場合、前記電子錠制御装置が前記電子錠を施錠状態または開錠状態となるように制御するための開閉制御信号を、ネットワークを介して送信する開閉制御信号送信ステップと、
を実行し、
前記端末装置は、
ユーザにより所定の入力手段に入力された識別情報を、ネットワークを介して前記管理装置に送信する識別情報送信ステップを実行し、
前記電子錠制御装置は、
前記管理装置から前記開閉制御信号を受信する開閉制御信号受信ステップと、
前記開閉制御信号受信ステップにより受信された前記開閉制御信号に基づいて、前記電子錠を制御する電子錠制御ステップと、を実行する、
ことを特徴とする引き出し開閉管理方法。
【発明の詳細な説明】
【技術分野】
【０００１】
本発明は、引き出し開閉管理システム、管理装置、端末装置、引き出し開閉管理プログラム、及び引き出し開閉管理方法に関する。
【背景技術】
【０００２】
従来、机の引き出しの開閉は、その引き出しに取り付けられた錠の物理的な鍵を責任者が所持・管理することで、管理されている。具体的には、引き出しは常に施錠された状態であり、引き出しの利用者が、責任者に鍵を借りて開錠し、利用後に施錠して鍵を責任者に返却するといった方法で管理されている。
【０００３】
しかし、従来のような物理的な錠や鍵の場合、ピッキング行為や鍵の無断複製により、盗難などのトラブルに巻き込まれる恐れが高い。また、鍵を紛失した場合には、セキュリティ確保のために、錠や鍵を新しいものと取り替えなければならず、多大なコストがかかるという問題がある。さらに、物理的な鍵を組織内で共有して利用する場合には、鍵の貸し出しの際、台帳に逐一記録に残さなければならない等、鍵の管理が煩雑になりがちである。
【０００４】
また、特許文献１には、利用者により入力されたパスワードを認証し、引き出しの施錠・開錠信号を出力するコンピュータと、ケーブルを介してコンピュータに接続され、当該信号に基づいて、引き出しの施錠・開錠を行う施錠・開錠機構とから構成される電子ロックシステムが開示されている。
【０００５】
しかしながら、特許文献１に記載されている電子ロックシステムでは、個々のコンピュータ内に認証用のユーザ情報が記憶されており、複数のコンピュータや複数箇所の引き出しの開閉の一括管理は困難である。また、ユーザ認証により引き出しの施錠・開錠のみ行うため、引き出しが開放状態で施錠される恐れがある。
【先行技術文献】
【特許文献】
【０００６】
【特許文献１】特開２００４−１９０３５１号公報
【発明の概要】
【発明が解決しようとする課題】
【０００７】
本発明はかかる問題点に鑑みてなされたものであって、安全で、かつ管理が容易な引き出し開閉管理システム、管理装置、端末装置、引き出し開閉管理プログラム、及び引き出し開閉管理方法を提供することを目的とする。
【課題を解決するための手段】
【０００８】
上記目的を達成するため、本発明の第１の観点に係る引き出し開閉管理システムは、端末装置と、該端末装置に接続され、引き出しを施錠又は開錠するための電子錠を備える電子錠制御装置と、前記端末装置にネットワークを介して接続される管理装置と、から構成される引き出し開閉管理システムであって、前記管理装置は、ユーザを識別するための識別情報と、当該ユーザの前記引き出しの所定の権限を示す権限情報とを対応付けて予め記憶する対応付記憶手段と、識別情報を、ネットワークを介して前記端末装置から受信する識別情報受信手段と、前記識別情報受信手段により受信された識別情報が、前記対応付記憶手段に記憶されている識別情報に実質的に一致するか否かを判別する識別情報判別手段と、前記識別情報判別手段により実質的に一致すると判別された場合、実質的に一致すると判別された識別情報に対応する権限情報に基づいて、実質的に一致すると判別された識別情報により識別されるユーザが前記引き出しの開閉権限を有するか否かを判別する開閉権限判別手段と、前記開閉権限判別手段により開閉権限を有すると判別された場合、前記電子錠制御装置が前記電子錠を施錠状態または開錠状態となるように制御するための開閉制御信号を送信させる開閉制御要求を、ネットワークを介して前記端末装置へ送信する開閉制御要求送信手段と、を備え、前記端末装置は、ユーザが識別情報を入力する識別情報入力手段と、ユーザにより前記識別情報入力手段に入力された識別情報を、ネットワークを介して前記管理装置に送信する識別情報送信手段と、前記開閉制御要求をネットワークを介して前記管理装置から受信する開閉制御要求受信手段と、前記開閉制御要求受信手段により前記開閉制御要求を受信したことに応答して、前記電子錠制御装置に前記開閉制御信号を送信する開閉制御信号送信手段と、を備え、前記電子錠制御装置は、前記端末装置から前記開閉制御信号を受信する開閉制御信号受信手段と、前記開閉制御信号受信手段により受信された前記開閉制御信号に基づいて、前記電子錠を制御する電子錠制御手段と、を備えることを特徴とする。
【０００９】
本発明の第２の観点に係る引き出し開閉管理システムは、端末装置と、引き出しを施錠又は開錠するための電子錠を備える電子錠制御装置と、管理装置とが、ネットワークを介して接続される引き出し開閉管理システムであって、前記管理装置は、ユーザを識別するための識別情報と、当該ユーザの前記引き出しの所定の権限を示す権限情報とを対応付けて予め記憶する対応付記憶手段と、識別情報を、前記端末装置から受信する識別情報受信手段と、前記識別情報受信手段により受信された識別情報が、前記対応付記憶手段に記憶されている識別情報に実質的に一致するか否かを判別する識別情報判別手段と、前記識別情報判別手段により実質的に一致すると判別された場合、実質的に一致すると判別された識別情報に対応する権限情報に基づいて、実質的に一致すると判別された識別情報により識別されるユーザが前記引き出しの開閉権限を有するか否かを判別する開閉権限判別手段と、前記開閉権限判別手段により開閉権限を有すると判別された場合、前記電子錠制御装置が前記電子錠を施錠状態または開錠状態となるように制御するための開閉制御信号を、ネットワークを介して送信する開閉制御信号送信手段と、を備え、前記端末装置は、ユーザが識別情報を入力する識別情報入力手段と、ユーザにより前記識別情報入力手段に入力された識別情報を、ネットワークを介して前記管理装置に送信する識別情報送信手段と、を備え、前記電子錠制御装置は、前記管理装置から前記開閉制御信号を受信する開閉制御信号受信手段と、前記開閉制御信号受信手段により受信された前記開閉制御信号に基づいて、前記電子錠を制御する電子錠制御手段と、を備えることを特徴とする。
【００１０】
本発明の第３の観点に係る管理装置は、引き出しを施錠又は開錠するための電子錠を備えた電子錠制御装置に接続された端末装置とネットワークを介して接続される管理装置であって、ユーザを識別するための識別情報と、当該ユーザの前記引き出しの所定の権限を示す権限情報とを対応付けて予め記憶する対応付記憶手段と、ユーザにより前記端末装置に入力された識別情報を、ネットワークを介して前記端末装置から受信する識別情報受信手段と、前記識別情報受信手段により受信された識別情報に実質的に一致する前記対応付記憶手段に記憶された識別情報に対応する権限情報に基づいて、実質的に一致する識別情報により識別されるユーザが前記引き出しの開閉権限を有するか否かを判別する開閉権限判別手段と、前記開閉権限判別手段により開閉権限を有すると判別された場合、前記電子錠制御装置が前記電子錠を施錠状態または開錠状態となるように制御するための開閉制御信号を送信させる開閉制御要求を、ネットワークを介して前記端末装置へ送信する開閉制御要求送信手段と、を備えることを特徴とする。
【００１１】
本発明の第４の観点に係る端末装置は、引き出しを施錠又は開錠するための電子錠を備える電子錠制御装置に接続され、ユーザを識別するための識別情報と当該ユーザの前記引き出しの所定の権限を示す権限情報とを対応付けて予め記憶する管理装置にネットワークを介して接続される端末装置であって、ユーザが識別情報を入力する識別情報入力手段と、ユーザにより前記識別情報入力手段に入力された識別情報を、ネットワークを介して前記管理装置に送信する識別情報送信手段と、ユーザにより入力された識別情報と実質的に一致する前記管理装置に記憶された識別情報に対応する権限情報が前記引き出しの開閉権限を有することを示す場合、前記電子錠制御装置が前記電子錠を施錠状態または開錠状態となるように制御するための開閉制御信号を送信させる開閉制御要求を、ネットワークを介して前記管理装置から受信する開閉制御要求受信手段と、前記開閉制御要求受信手段により前記開閉制御要求を受信したことに応答して、前記電子錠制御装置に前記開閉制御信号を送信する制御信号送信手段と、を備えることを特徴とする。
【００１２】
本発明の第５の観点に係る管理装置は、引き出しを施錠又は開錠するための電子錠を備えた電子錠制御装置と、端末装置とに、ネットワークを介して接続される管理装置であって、ユーザを識別するための識別情報と、当該ユーザの前記引き出しの所定の権限を示す権限情報とを対応付けて予め記憶する対応付記憶手段と、ユーザにより前記端末装置に入力された識別情報を、ネットワークを介して前記端末装置から受信する識別情報受信手段と、前記識別情報受信手段により受信された識別情報に実質的に一致する前記対応付記憶手段に記憶された識別情報に対応する権限情報に基づいて、実質的に一致する識別情報により識別されるユーザが前記引き出しの開閉権限を有するか否かを判別する開閉権限判別手段と、前記開閉権限判別手段により開閉権限を有すると判別された場合、前記電子錠制御装置が前記電子錠を施錠状態または開錠状態となるように制御するための開閉制御信号を、ネットワークを介して前記電子錠制御装置へ送信する開閉制御信号送信手段と、を備えることを特徴とする。
【００１３】
本発明の第６の観点に係る引き出し開閉管理プログラムは、引き出しを施錠又は開錠するための電子錠を備えた電子錠制御装置に接続された端末装置とネットワークを介して接続されるコンピュータを、ユーザを識別するための識別情報と、当該ユーザの前記引き出しの所定の権限を示す権限情報とを対応付けて予め記憶する対応付記憶手段と、ユーザにより前記端末装置に入力された識別情報を、ネットワークを介して前記端末装置から受信する識別情報受信手段と、前記識別情報受信手段により受信された識別情報に実質的に一致する前記対応付記憶手段に記憶された識別情報に対応する権限情報に基づいて、実質的に一致する識別情報により識別されるユーザが前記引き出しの開閉権限を有するか否かを判別する開閉権限判別手段と、前記開閉権限判別手段により開閉権限を有すると判別された場合、前記電子錠制御装置が前記電子錠を施錠状態または開錠状態となるように制御するための開閉制御信号を送信させる開閉制御要求を、ネットワークを介して前記端末装置へ送信する送信要求送信手段と、として機能させることを特徴とする。
【００１４】
本発明の第７の観点に係る引き出し開閉管理プログラムは、引き出しを施錠又は開錠するための電子錠を備える電子錠制御装置に接続され、ユーザを識別するための識別情報と当該ユーザの前記引き出しの所定の権限を示す権限情報とを対応付けて予め記憶する管理装置にネットワークを介して接続されるコンピュータを、ユーザが識別情報を入力する識別情報入力手段と、ユーザにより前記識別情報入力手段に入力された識別情報を、ネットワークを介して前記管理装置に送信する識別情報送信手段と、ユーザにより入力された識別情報と実質的に一致する前記管理装置に記憶された識別情報に対応する権限情報が前記引き出しの開閉権限を有することを示す場合、前記電子錠制御装置が前記電子錠を施錠状態または開錠状態となるように制御するための開閉制御信号を送信させる開閉制御要求を、ネットワークを介して前記管理装置から受信する開閉制御要求受信手段と、前記開閉制御要求受信手段により前記開閉制御要求を受信したことに応答して、前記電子錠制御装置に前記開閉制御信号を送信する制御信号送信手段と、として機能させることを特徴とする。
【００１５】
本発明の第８の観点に係る引き出し開閉管理プログラムは、引き出しを施錠又は開錠するための電子錠を備えた電子錠制御装置と、端末装置とに、ネットワークを介して接続されるコンピュータを、ユーザを識別するための識別情報と、当該ユーザの前記引き出しの所定の権限を示す権限情報とを対応付けて予め記憶する対応付記憶手段と、ユーザにより前記端末装置に入力された識別情報を、ネットワークを介して前記端末装置から受信する識別情報受信手段と、前記識別情報受信手段により受信された識別情報に実質的に一致する前記対応付記憶手段に記憶された識別情報に対応する権限情報に基づいて、実質的に一致する識別情報により識別されるユーザが前記引き出しの開閉権限を有するか否かを判別する開閉権限判別手段と、前記開閉権限判別手段により開閉権限を有すると判別された場合、前記電子錠制御装置が前記電子錠を施錠状態または開錠状態となるように制御するための開閉制御信号を、ネットワークを介して前記電子錠制御装置へ送信する開閉制御信号送信手段と、として機能させることを特徴とする。
【００１６】
本発明の第９の観点に係る引き出し開閉管理方法は、端末装置と、該端末装置に接続され、引き出しを施錠又は開錠するための電子錠を備える電子錠制御装置と、前記端末装置にネットワークを介して接続される管理装置とによって実行される引き出し開閉管理方法であって、前記管理装置は、ユーザを識別するための識別情報と、当該ユーザの前記引き出しの所定の権限を示す権限情報とを対応付けて予め所定の記憶手段に記憶する対応付記憶ステップと、識別情報を、ネットワークを介して前記端末装置から受信する識別情報受信ステップと、前記識別情報受信ステップにより受信された識別情報が、前記記憶手段に記憶されている識別情報に実質的に一致するか否かを判別する識別情報判別ステップと、前記識別情報判別ステップにより実質的に一致すると判別された場合、実質的に一致すると判別された識別情報に対応する権限情報に基づいて、実質的に一致すると判別された識別情報により識別されるユーザが前記引き出しの開閉権限を有するか否かを判別する開閉権限判別ステップと、前記開閉権限判別ステップにより開閉権限を有すると判別された場合、前記電子錠制御装置が前記電子錠を施錠状態または開錠状態となるように制御するための開閉制御信号を送信させる開閉制御要求を、ネットワークを介して前記端末装置へ送信する開閉制御要求送信ステップと、を実行し、前記端末装置は、ユーザにより所定の入力手段に入力された識別情報を、ネットワークを介して前記管理装置に送信する識別情報送信ステップと、前記開閉制御要求をネットワークを介して前記管理装置から受信する開閉制御要求受信ステップと、前記開閉制御要求受信ステップにより前記開閉制御要求を受信したことに応答して、前記電子錠制御装置に前記開閉制御信号を送信する開閉制御信号送信ステップと、を実行し、前記電子錠制御装置は、前記端末装置から前記開閉制御信号を受信する開閉制御信号受信ステップと、前記開閉制御信号受信ステップにより受信された前記開閉制御信号に基づいて、前記電子錠を制御する電子錠制御ステップと、を実行する、ことを特徴とする。
【００１７】
本発明の第１０の観点に係る引き出し開閉管理方法は、端末装置と、引き出しを施錠又は開錠するための電子錠を備える電子錠制御装置と、管理装置とが、ネットワークを介して接続される引き出し開閉管理方法であって、前記管理装置は、ユーザを識別するための識別情報と、当該ユーザの前記引き出しの所定の権限を示す権限情報とを対応付けて予め所定の記憶手段に記憶する対応付記憶ステップと、識別情報を、前記端末装置から受信する識別情報受信ステップと、前記識別情報受信ステップにより受信された識別情報が、前記記憶手段に記憶されている識別情報に実質的に一致するか否かを判別する識別情報判別ステップと、前記識別情報判別ステップにより実質的に一致すると判別された場合、実質的に一致すると判別された識別情報に対応する権限情報に基づいて、実質的に一致すると判別された識別情報により識別されるユーザが前記引き出しの開閉権限を有するか否かを判別する開閉権限判別ステップと、前記開閉権限判別ステップにより開閉権限を有すると判別された場合、前記電子錠制御装置が前記電子錠を施錠状態または開錠状態となるように制御するための開閉制御信号を、ネットワークを介して送信する開閉制御信号送信ステップと、を実行し、前記端末装置は、ユーザにより所定の入力手段に入力された識別情報を、ネットワークを介して前記管理装置に送信する識別情報送信ステップを実行し、前記電子錠制御装置は、前記管理装置から開閉制御信号を受信する開閉制御信号受信ステップと、前記開閉制御信号受信ステップにより受信された前記開閉制御信号に基づいて、前記電子錠を制御する電子錠制御ステップと、を実行する、ことを特徴とする。
【発明の効果】
【００１８】
本発明によれば、安全で、かつ管理が容易な引き出し開閉管理システム、管理装置、端末装置、引き出し開閉管理プログラム、及び引き出し開閉管理方法を提供できる。
【図面の簡単な説明】
【００１９】
【図１】本発明の実施形態の引き出し開閉管理システムを示すブロック図である。
【図２】端末装置を示すブロック図である。
【図３】管理機を示すブロック図である。
【図４】（ａ）は認証ＤＢに記憶されたデータの一例を示す図、（ｂ）はログＤＢに記憶されたデータの一例を示す図である。
【図５】引き出し及び電子錠制御装置を示すブロック図である。
【図６】開錠時動作を示すフローチャートである。
【図７】施錠時動作を示すフローチャートである。
【図８】引き出し開閉時動作を示すフローチャートである。
【図９】第２の実施形態の引き出し開閉管理システムを示すブロック図である。
【図１０】第２の実施形態の引き出し及び電子錠制御装置を示すブロック図である。
【図１１】第２の実施形態の開錠時動作を示すフローチャートである。
【図１２】第２の実施形態の引き出し開閉時動作を示すフローチャートである。
【発明を実施するための形態】
【００２０】
以下、本発明の第１の実施形態に係る引き出し開閉管理システム１を図を参照して説明する。
【００２１】
引き出し開閉管理システム１は、図１に示すように、引き出し１００に取り付けられる電子錠制御装置２００と、それに接続された端末装置１０と、管理機２０と、ネットワーク３０と、から構成されている。端末装置１０と管理機２０との間は、ネットワーク３０を介して接続されている。
【００２２】
端末装置１０は、図２に示すように、例えば制御部１１と、記憶部１２と、通信部１３と、入力部１４と、出力部１５と、接続部１６とから構成されている。
【００２３】
制御部１１は、例えばＣＰＵ（Central Processing Unit）やワークエリアとなるＲＡＭ（Random Access Memory）等から構成される。制御部１１は、記憶部１２に記憶されたプログラム等を読み出して実行することにより、端末装置の各部を制御する。
【００２４】
記憶部１２は、例えばハードディスク装置等の記憶装置から構成され、電子錠制御装置２００による開錠または施錠等を制御する電子錠制御プログラム等を格納する。
【００２５】
通信部１３は、例えば、無線ＬＡＮ（Local Area Network）カードから構成される。通信部１３は、制御部１１の制御の下、ネットワーク３０を介して管理機２０との間でデータの送受信を行う。
【００２６】
入力部１４は、例えば、キーボードやマウスなどのポインティングデバイスから構成される。入力部１４を介して、ユーザのユーザＩＤ等が入力され、制御部１１に供給される。
【００２７】
出力部１５は、例えば、ＣＲＴ（Cathode Ray Tube）またはＬＣＤ（Liquid Crystal Display）から構成され、プログラムを実行させるための画像等を表示する。
【００２８】
接続部１６は、端末装置１０と電子錠制御装置２００とを接続する。接続部１６は、施錠信号、開錠信号または開閉状態要求信号を電子錠制御装置に送信し、また、後述する引き出し開閉センサ２０２で読み取った引き出しの開閉状態を受信する。
【００２９】
続いて、管理機２０について説明する。管理機２０は、図３に示すように、例えば、制御部２１と、記憶部２２と、通信部２３と、時計部２４とから構成されている。
【００３０】
制御部２１は、例えばＣＰＵやワークエリアとなるＲＡＭ等から構成される。制御部２１は、記憶部２２に記憶されたプログラムを読み出して実行することにより、管理機２０の各部を制御する。
【００３１】
記憶部２２は、例えばハードディスク装置等の記憶装置から構成され、制御部２１で実行されるプログラム等を格納する。また、記憶部２２は、ユーザの認証に際し必要とされる認証ＤＢ（データベース）２５と、開錠・施錠・引き出しの開閉等の履歴であるログＤＢ２６とを含む。
【００３２】
認証ＤＢ２５は、図４（ａ）に示すように、ユーザごとにユーザＩＤと、パスワードと、開閉権限とを対応付けて格納する。開閉権限は、電子錠制御装置２００が取り付けられた引き出し１００の開閉権限の有無を示す。
【００３３】
ログＤＢ２６は、図４（ｂ）に示すように、引き出し１００の操作を行ったユーザのユーザＩＤと、行われた操作の種類と、操作が行われた日時とが格納される。操作の種類には「開錠」、「施錠」、「開ける」、「閉じる」のいずれかの情報が記載される。
【００３４】
通信部２３は、例えば、無線ＬＡＮ（Local Area Network）カードから構成される。通信部２３は、制御部２１の制御の下、ネットワーク３０を介して端末装置１０との間でデータの送受信を行う。
【００３５】
時計部２４は、現在時刻を計時する。制御部２１は、引き出し１００の操作が行われた時刻を時計部２４から取得し、ログＤＢ２６に記録する。
【００３６】
続いて、電子錠制御装置２００について説明する。図５に示すように、引き出し１００には、端末装置１０から受信した開錠信号または施錠信号に応答して、引き出し１００の開錠・施錠を行う電子錠制御装置２００が内蔵または接続される。そして、電子錠制御装置２００は、電子錠制御部２０１と、引き出し開閉センサ部２０２と、電子錠２０３と、接続部２０４とから構成されている。
【００３７】
電子錠制御部２０１は、端末装置１０からの要求に応答して、電子錠２０３の開錠・施錠や引き出し開閉センサ部２０２の制御を行う。
【００３８】
引き出し開閉センサ部２０２は、磁気センサや光センサ等から構成され、引き出し１００の開閉状態を読み取る。
【００３９】
電子錠２０３は、電子錠制御部２０１の施錠・開錠要求に応答して、施錠・開錠を行う。
【００４０】
接続部２０４は、端末装置１０の接続部１６からの開錠信号等の指示を受信し、引き出し１００の開閉状態を端末装置１０へ送信する。
【００４１】
次に上記構成を有する引き出し開閉管理システム１の動作について説明する。まず、引き出し１００の開錠時処理の動作を図６のフローチャートを参照して説明する。
【００４２】
端末装置１０は電源が投入されると、記憶部１２に格納された電子錠制御プログラムが自動的に読み込まれ、制御部１１により、開錠時処理が実行される。
【００４３】
制御部１１は、ＯＳ（Operating System）に基づいて、ユーザにユーザＩＤ及びパスワードを入力させるログイン画面を出力部１５に表示する（ステップＳ１０１）。なお、端末装置１０の電源投入時に電子錠制御プログラムが自動的に読み込まれず、ログイン後にユーザにより電子錠制御プログラムの実行が選択され、ユーザ認証画面が表示されるようにすることで、ＯＳのログインとは別途に開錠時処理を実行してもよい。
【００４４】
その後、制御部１１は、ユーザＩＤ及びパスワードが入力されるまで待機する(ステップＳ１０２)。
【００４５】
ユーザＩＤ及びパスワードが入力されると（ステップＳ１０２；Ｙｅｓ）、制御部１１は、通信部１３及びネットワーク３０を介して、管理機２０に入力されたユーザＩＤ及びパスワードを送信する（ステップＳ１０３）。
【００４６】
管理機２０は、端末装置１０からユーザＩＤ及びパスワードを受信すると（ステップＳ１０４）、制御部２１は、受信したユーザＩＤ及びパスワードが、記憶部２２に予め記憶された認証ＤＢ２５のユーザＩＤ及びパスワードにそれぞれ一致するか否かを判別することにより認証を行う（ステップＳ１０５）。
【００４７】
ユーザＩＤ及びパスワードを認証すると、制御部２１は、ステップＳ１０５の認証結果を通信部２３及びネットワーク３０を介して、端末装置１０に送信する（ステップＳ１０６）。
【００４８】
端末装置１０は、管理機２０から認証結果を受信すると（ステップＳ１０７）、制御部１１は、その認証結果を出力部１５に出力する（ステップＳ１０８）。認証に失敗した場合、ステップＳ１０２に戻り、再度ユーザＩＤ及びパスワードを入力させるようにしてもよい。
【００４９】
また、管理機２０の制御部２１は、ステップＳ１０５の認証結果が正であるか否か判別する（ステップＳ１０９）。
【００５０】
認証結果が正であると判別した場合（ステップＳ１０９；Ｙｅｓ）、制御部２１は、認証結果が正であるユーザＩＤと対応付けて記憶されている開閉権限を認証ＤＢ２５から読み取り、開閉権限が「有り」か否かを判別する（ステップＳ１１０）。
【００５１】
開閉権限が「有り」であると判別した場合（ステップＳ１１０；Ｙｅｓ）、制御部２１は、通信部２３及びネットワーク３０を介して、端末装置１０に開錠要求を送信する（ステップＳ１１１）。
【００５２】
端末装置１０は、管理機２０から開錠要求を受信すると（ステップＳ１１２）、制御部１１は、接続部１６を介して電子錠制御装置２００に開錠信号を送信する（ステップＳ１１３）。ここで、所定の時間内に開錠要求を受信しない場合、引き出し１００の開閉権限が無いと判別して、開錠時処理を終了するようにしてもよい。
【００５３】
電子錠制御装置２００は、接続部２０４より開錠信号を受信すると（ステップＳ１１４）、電子錠制御部２０１がこれを判別して電子錠２０３の開錠を行う（ステップＳ１１５）。
【００５４】
また、ステップＳ１１１において端末装置１０に開錠要求が送信された場合、管理機２０の制御部２１は、記憶部２２に格納されたログＤＢ２６へログの書き込みを行う（ステップＳ１１６）。このとき、制御部２１は、ログＤＢ２６の「ユーザＩＤ」項目に認証に成功したユーザＩＤを、「操作の種類」項目に「開錠」を、「操作日時」項目に時計部２４から取得した時刻をそれぞれ書き込む。
【００５５】
なお、管理機２０の制御部２１は、認証結果が正でないと判別した場合（ステップＳ１０９；Ｎｏ）、または開閉権限が「有り」でないと判別した場合（ステップＳ１１０；Ｎｏ）、処理を終了する。
【００５６】
次に上記構成を有する引き出し開閉管理システム１の施錠時の処理動作を図７のフローチャートを参照して説明する。
【００５７】
ユーザが端末装置１０の入力部１４から、引き出し１００の施錠時処理の実行、ログアウト処理の実行、またはシャットダウン処理の実行を選択すると、記憶部１２に格納された電子錠制御プログラムが自動的に読み込まれ、制御部１１により、施錠時処理が実行される。なお、ログアウト処理の実行またはシャットダウン処理の実行が選択された場合には、制御部１１は、各処理を実行せずに中断する。
【００５８】
制御部１１は、接続部１６を介して電子錠制御装置２００に対し、開閉状態確認要求を送信する（ステップＳ２０１）。
【００５９】
電子錠制御装置２００は、端末装置１０から開閉状態確認要求を受信すると（ステップＳ２０２）、電子錠制御部２０１は、引き出し開閉センサ部２０２により引き出しの開閉状態を読み取る（ステップＳ２０３）。
【００６０】
そして、電子錠制御部２０１は、接続部２０４から端末装置１０に対し、読み取った開閉状態を示す開閉状態情報を送信する（ステップＳ２０４）。
【００６１】
端末装置１０は、電子錠制御装置２００から開閉状態情報を受信すると（ステップＳ２０５）、制御部１１は、受信した開閉状態情報が示す開閉状態が「閉」であるか否かを判別する（ステップＳ２０６）。
【００６２】
「閉」であると判別した場合（ステップＳ２０６；Ｙｅｓ）、制御部１１は、電子錠制御装置２００に接続部１６を介して施錠信号を送信する（ステップＳ２０７）。
【００６３】
電子錠制御装置２００は、端末装置１０から施錠信号を受信すると（ステップＳ２０８）、電子錠２０３の施錠を行う（ステップＳ２０９）。
【００６４】
また、端末装置１０の制御部１１は、電子錠制御装置２００に施錠信号を送信すると同時に、管理機２０にログ書込要求を送信する（ステップＳ２１０）。なお、ユーザによりログアウト処理の実行またはシャットダウン処理の実行が選択されていた場合には、制御部１１は、中断されていた各処理を実行する。
【００６５】
管理機２０は、端末装置１０からログ書込要求を受信すると（ステップＳ２１１）、制御部２１は、記憶部２２に格納されたログＤＢ２６へログの書き込みを行う（ステップＳ２１２）。このとき、制御部２１は、ログＤＢ２６の「ユーザＩＤ」項目にユーザＩＤを、「操作の種類」項目に「施錠」を、「操作日時」項目に時計部２４から取得した時刻をそれぞれ書き込む。
【００６６】
なお、ステップＳ２０６において、端末装置１０の制御部１１は「閉」でないと判別した場合（ステップＳ２０６；Ｎｏ）、制御部１１は、出力部１５に、引き出しが開いたままであるため施錠できない旨の警告ダイアログを表示する（ステップＳ２１３）。そして、制御部１１は、施錠時処理を終了する。なお、ユーザによりログアウト処理の実行またはシャットダウン処理の実行が選択されていた場合には、制御部１１は中断されていた各処理を実行せずに終了する。
【００６７】
次に上記構成を有する引き出し開閉管理システム１の引き出し開閉時の処理動作を図８を参照して説明する。
【００６８】
ユーザにより引き出し１００の開閉操作が行われると、電子錠制御装置２００の電子錠制御部２０１は、引き出し開閉センサ部２０２により開閉操作が行われたことを検知する（ステップＳ３０１）。
【００６９】
そして、電子錠制御部２０１は、端末装置１０を介して管理機２０にログ書込要求を送信すべく、接続部２０４から端末装置１０にログ書込要求の送信要求を送信する（ステップＳ３０２）。
【００７０】
端末装置１０の制御部１１は、電子錠制御装置２００からログ書込要求の送信要求を受信すると（ステップＳ３０３）、管理機２０にログ書込要求を送信する（ステップＳ３０４）。
【００７１】
管理機２０は、端末装置１０からログ書込要求を受信すると（ステップＳ３０５）、制御部２１は、記憶部２２に格納されたログＤＢ２６へログの書き込みを行う（ステップＳ３０６）。このとき、制御部２１は、ログＤＢ２６の「ユーザＩＤ」項目に受信したユーザＩＤを、「操作の種類」項目に「開」または「閉」を、「操作日時」項目に時計部２４から取得した時刻をそれぞれ書き込む。
【００７２】
以上のように、上記の実施形態によれば、端末装置１０からの施錠信号または開錠信号に応答して引き出し１００の施錠または開錠が行われるため、物理的な鍵を必要とせず、鍵を落としたり盗まれたりする心配がない。
【００７３】
また、上記の実施形態によれば、万が一ユーザがパスワードを失念した場合（物理的な鍵でいうところの紛失にあたる）、管理機２０上でパスワードを一括管理しているため、管理者がパスワードを再発行することで、迅速な対応が可能になる。また、鍵や錠を新しいものと取り替えるコストを必要としない。
【００７４】
また、上記の実施形態によれば、ユーザごとに引き出し１００の開閉権限を設定できるため、特定の役職のみが引き出し１００内の資料・備品を利用・閲覧できる仕組み作りに役立つ。
【００７５】
また、上記の実施形態によれば、ユーザが行った引き出し１００の操作履歴を管理機２０のログＤＢ２６に記録することにより、台帳に鍵の管理記録を残す等の煩雑な作業を行うことなく、容易に引き出し１００の操作履歴を残すことができる。
【００７６】
また、上記の実施形態によれば、電子錠制御装置２００に取り付けられた引き出し開閉センサ部２０３により、引き出しの開閉状態を読み取ることができる。そのため、引き出し１００が開いた状態で施錠しようとした場合にユーザに対し警告することで、引き出し１００が開いた状態での施錠を防止することができる。また、上述の施錠時処理をＯＳのログアウトやシャットダウン機能との協働により行うことで、施錠のし忘れを防止することができる。
【００７７】
次に、本発明の第２の実施形態に係る引き出し開閉管理システム１Ａについて説明する。ここで、第１の実施形態と同様の構成及び処理をなす部分については、同じ符号を付してその詳細な説明を省略し、主として第１の実施形態と異なる部分について説明する。なお、第２の実施形態における施錠時の処理動作は、第１の実施形態におけるものと同様であるため、その説明は全て省略する。
【００７８】
引き出し開閉管理システム１Ａは、図９に示すように、電子錠制御装置２００がネットワーク３０を介して、端末装置１０及び管理機２０に接続されている点で第１の実施形態と異なる。このため、図１０に示すように、電子錠制御装置２００は第１の実施形態における接続部２０４に代えて、ネットワークを介して端末装置１０及び管理機２０と通信するための通信部２０５を備える。また、端末装置１０は、通信部１３によりネットワークを介して電子錠制御装置２００と信号の送受信が可能であるため、接続部１６はなくてもよい。
【００７９】
まず、引き出し１００の開錠時処理の動作を図１１のフローチャートを参照して説明する。ステップＳ１０１〜Ｓ１１０までの動作は、第１の実施形態と同様である。ステップＳ１１０にて開閉権限が「有り」であると判別した場合（ステップＳ１１０；Ｙｅｓ）、制御部２１は、通信部２３及びネットワーク３０を介して、電子錠制御装置２００に開錠信号を送信する（ステップＳ１２１）。
【００８０】
電子錠制御装置２００は、通信部２０５より開錠信号を受信すると（ステップＳ１２２）、電子錠制御部２０１がこれを判別して電子錠２０３の開錠を行う（ステップＳ１１５）。
【００８１】
また、管理機２０の制御部２１は、電子錠制御装置２００に開錠信号を送信すると同時に、記憶部２２に格納されたログＤＢ２６へログの書き込みを行う（ステップＳ１１６）。このログ書込処理の動作については第１の実施形態と同様であるため、説明を省略する。
【００８２】
次に上記構成を有する引き出し開閉管理システム１の引き出し開閉時の処理動作を図１２を参照して説明する。第１の実施形態と同様に、ユーザにより引き出し１００の開閉操作が行われると、電子錠制御装置２００の電子錠制御部２０１は、引き出し開閉センサ部２０２により開閉操作が行われたことを検知する（ステップＳ３０１）。
【００８３】
そして、電子錠制御部２０１は、通信部２０５から管理機２０にログ書込要求を送信する（ステップＳ３１１）。
【００８４】
管理機２０は、電子錠制御装置２００からログ書込要求を受信すると（ステップＳ３１２）、制御部２１は、記憶部２２に格納されたログＤＢ２６へログの書き込みを行う（ステップＳ３０６）。このログ書込処理の動作については第１の実施形態と同様であるため、説明を省略する。
【００８５】
第２の実施形態では、第１の実施形態と異なり、電子錠制御装置２００が管理機２０とネットワークを介して接続されている。そのため、第１の実施形態では、管理機２０から電子錠制御装置２００への開錠信号や、電子錠制御装置２００から管理機２０に引き出し１００の開閉に伴うログ書込要求は、端末装置１０を介さないと送信されない。これに対し、第２の実施形態では、電子錠制御装置２００が管理機２０とネットワークを介して接続されているため、電子錠制御装置２００と管理機２０とが、端末装置１０を介さずに開錠信号やログ書込要求の送受信可能である。これにより、端末装置１０における処理の負担を減らすことができる。
【００８６】
なお、本発明は、上記の実施形態に限定されず、種々の変形及び応用が可能である。
【００８７】
上記の実施形態では、引き出し１００のみの開閉についての動作を説明したが、引き出しが複数ある場合には、認証ＤＢにおいてユーザごとに各引き出しに対する開閉権限を記憶しておくことで、複数の引き出しの開閉を一括して管理することができるようにしてもよい。
【００８８】
本発明に係る管理機や端末装置は、専用のシステムによらず、通常のコンピュータシステムを用いて実現可能である。例えば、ネットワークに接続されているコンピュータに、上記動作を実行するためのプログラムを、コンピュータシステムが読み取り可能な記録媒体（ＣＤ−ＲＯＭ、ＭＯ等）に格納して配布し、当該プログラムをコンピュータシステムにインストールすることにより、上述の処理を実行する管理機や端末装置を構成してもよい。
【００８９】
また、コンピュータにプログラムを提供する方法は任意である。例えば、プログラムは、通信回線の掲示板（ＢＢＳ）にアップロードされ、通信回線を介してコンピュータに配信されてもよい。また、プログラムは、プログラムを表す信号により搬送波を変調した変調波により伝送され、この変調波を受信した装置が変調波を復調してプログラムを復元するようにしてもよい。そして、コンピュータは、このプログラムを起動して、ＯＳの制御のもと、他のアプリケーションと同様に実行する。これにより、コンピュータは、上述の処理を実行する管理機や端末装置として機能する。
【００９０】
なお、端末装置における開錠時処理や施錠時処理のようにＯＳがその処理の一部を分担する場合、あるいは、ＯＳが本願発明の１つの構成要素の一部を構成するような場合、記録媒体は、その部分を除いたプログラムを格納してもよい。
【符号の説明】
【００９１】
１、１Ａ  引き出し開閉管理システム
１０      端末装置
１１      制御部
１２      記憶部
１３      通信部
１４      入力部
１５      出力部
１６      接続部
２０      管理機
２１      制御部
２２      記憶部
２３      通信部
２４      時計部
２５      認証ＤＢ
２６      ログＤＢ
３０      ネットワーク
１００    引き出し
２００    電子錠制御装置
２０１    電子錠制御部
２０２    引き出し開閉センサ部
２０３    電子錠
２０４    接続部
２０５    通信部
【図１】
2010174516.tif 000003
【図２】
2010174516.tif 000004
【図３】
2010174516.tif 000005
【図４】
2010174516.tif 000006
【図５】
2010174516.tif 000007
【図６】
2010174516.tif 000008
【図７】
2010174516.tif 000009
【図８】
2010174516.tif 000010
【図９】
2010174516.tif 000011
【図１０】
2010174516.tif 000012
【図１１】
2010174516.tif 000013
【図１２】
2010174516.tif 000014